(57)【要約】【課題】  色が混ざることなく被照明部材の輝度を独立で調光したり、発光色を変えたりすることが可能な照明装置を提供する。【解決手段】  連結部８は、第１の導光体５から垂直方向に延設された第１の連結片８１と、第２の導光体６から垂直方向に延設された第２の連結片８２と、第１の連結片８１と第２の連結片８２とを連結する第３の連結片８３とからなることによって、第１の導光体５を導光される第１の光源３の光が第１の導光体５の端部５１から第２の導光体６の端部６１に侵入することを防ぐことが可能となり、第１の光源３の光と第２の光源４の光が混ざることなく表示板２を照明することができる。【選択図】図２
2014232676.tif 000002
【特許請求の範囲】
【請求項１】
第１の光源によって照明される第１の表示部と、前記第１の光源とは異なる照明色の第２の光源によって照明される第２の表示部と、前記第１の表示部の背後に位置し前記第１の光源の光を前記第１の表示部に導光する第１の導光体と、前記第２の表示部の背後に位置し前記第２の光源の光を前記第２の表示部に導光する第２の導光体と、前記第１の表示部と前記第２の表示部との間であって透過照明されない箇所の背後には、前記第１の導光体と前記第２の導光体とを区切る仕切壁を設け、前記仕切壁が設けられていない箇所に前記第１の導光体と前記第２の導光体とを連結する連結部とを備えた照明装置において、前記連結部は、Ｕ字状またはコ字状となる折れ曲がり形状であり、前記第１の導光体から延設された第１の連結片と、前記第２の導光体から延設された第２の連結片と、前記第１の連結片と前記第２の連結片とを連結する第３の連結片とからなることを特徴とする照明装置。
【請求項２】
前記第１の導光体は、その裏面にドット状に設けられた第１の凹部を有することを特徴とする請求項１に記載の照明装置。
【請求項３】
前記第２の導光体は、その裏面に放射状に設けられた第２の凹部を有することを特徴とする請求項１および請求項２に記載の照明装置。
【請求項４】
前記第２の連結片は、前記第１の連結片よりも前記表示板側に近づくように形成されていることを特徴とする請求項１から請求項３に記載の照明装置。
【発明の詳細な説明】
【技術分野】
【０００１】
本発明は、光源から発せられた照明光にて表示部を照明する照明装置に関するものである。
【背景技術】
【０００２】
従来より、例えば指針や複数の表示部のように異なる照明対象をそれぞれ照明するために、複数の同心円状の導光体を備え、この導光体を一体成形する照明装置が知られている。この照明装置は、指針を照明する光源と、指標部を照明する光源と、それぞれの光源に対応した導光体とを有した照明装置であって、複数の導光体を連結部で連結することでコストを削減することができるというものです。
【先行技術文献】
【特許文献】
【０００３】
【特許文献１】特開２００２−２９６０８０号公報
【特許文献２】特開２００４−２１２１２６号公報
【発明の概要】
【発明が解決しようとする課題】
【０００４】
しかしながら、このような照明装置は、導光体が連結部によって連結されているため、それぞれの照明対象を単独で照明すると、照明対象ではない箇所に光漏れが生じ商品性が低下するという問題を有している。
【０００５】
また、異なる発光色の光源で照明する場合、少ない光漏れであっても色が混ざってしまい、見た目の品質が劣ってしまうという問題点があった。さらに、特に複数の導光体が同心円状に配置される場合、光源から離れるほど表示部の輝度が低くなってしまうので、光源から外側に配置された表示部へより効率的に導光する必要があった。
【０００６】
そこで、本発明は、この問題に鑑みなされたものであり、複数の表示部を有した表示器を備える場合であっても、異なる色で表示することができると共に光漏れや輝度ムラが低減された照明装置を提供するものである。
【課題を解決するための手段】
【０００７】
本発明は、第１の光源によって照明される第１の表示部と、前記第１の光源とは異なる照明色の第２の光源によって照明される第２の表示部と、前記第１の表示部の背後に位置し前記第１の光源の光を前記第１の表示部に導光する第１の導光体と、前記第２の表示部の背後に位置し前記第２の光源の光を前記第２の表示部に導光する第２の導光体と、前記第１の表示部と前記第２の表示部との間であって透過照明されない箇所の背後には、前記第１の導光体と前記第２の導光体とを区切る仕切壁を設け、前記仕切壁が設けられていない箇所に前記第１の導光体と前記第２の導光体とを連結する連結部とを備えた照明装置において、前記連結部は、前記第１の導光体から延設された第１の連結片と、前記第２の導光体から延設された第２の連結片と、前記第１の連結片と前記第２の連結片とを連結する第３の連結片と、からなるものである。
【０００８】
また、本発明は、前記第１の導光体は、その裏面にドット状に設けられた第１の凹部を有するものである。
【０００９】
また、本発明は、前記第２の導光体は、その裏面に放射状に設けられた第２の凹部を有するものである。
【００１０】
また、本発明は、前記第２の連結片は、前記第１の連結片よりも前記表示板側に近づくように形成されているものである。
【発明の効果】
【００１１】
複数の導光体を連結部によって連結した表示器を備える場合であっても、異なる色で表示することができると共に輝度ムラが低減された照明装置を提供することができる。
【図面の簡単な説明】
【００１２】
【図１】本発明の実施形態を示す正面図。
【図２】同上の実施形態を示すＡ−Ａ断面図。
【図３】同上の実施形態を示す導光体の正面図。
【図４】同上の実施形態を示す導光体のＢ−Ｂ断面図。
【図５】同上の実施形態を示す連結部の詳細図。
【図６】同上の実施形態を示す導光体のＣ−Ｃ断面図。
【発明を実施するための形態】
【００１３】
以下、添付図面に基づいて、本発明の実施形態を説明する。照明装置は、表示板２と、第１，第２の光源３，４と、第１，第２の導光体５，６とを備える。
【００１４】
表示板２は、透明樹脂に数字及び目盛りを印刷したものであり、第１の導光体５の前面に配置され、第１の導光体５より照射される光によって透過照明される第１の指標部２ａと第２の導光体６の前面に配置され、第２の導光体６より照射される光によって透過照明される第２の指標部２ｂとを有している。
【００１５】
第１の光源３は、例えば白色のチップ型発光ダイオードからなり、第１の導光体５の端面５ａから第１の導光体５の内部に光を供給できるように配設される（図３参照）。第１の光源３は回路基板１０から供給される電力によって発光し、第１の導光体５を介して第１の指標部２ａを透過照明する。
【００１６】
第２の光源４は、例えば赤色のチップ型発光ダイオードからなり、第２の導光体６の端面６ａから第２の導光体６の内部に光を供給できるように配設される（図３参照）。第２の光源４は回路基板１０から供給される電力によって発光し、第２の導光体６を介して、表示板２を透過照明する。
【００１７】
第１の導光体５は、第１の光源３から発せられた光を第１の指標部２ａに向けて導光し、第１の指標部２ａを透過照明する。第１の導光体５の裏面には複数のＶ字状の溝からなる第１の凹部５２がドット状に配列されており、第１の導光体５内に導光される光がＶ字状の第１の凹部５２に反射されて表示板２側に向かい第１の指標部２ａを透過照明する。第１の凹部５２は、ドット配列であるため、輝度が低い箇所には凹部を多く配置し、輝度が高い箇所は凹部を少なく配置する等の輝度調節が容易である。
【００１８】
第２の導光体６は、第１の導光体５の外周側に同心円状に配置され、第２の光源４から発せられた光を第２の指標部２ｂに向けて導光し、第２の指標部２ｂを透過照明する。第２の導光体６の裏面には放射状に設けられた複数のＶ字状の溝である第２の凹部６２が形成されており、第２の導光体６内を導光され円周方向に進行する光が、放射状の溝によって第２の指標部２ｂ側へ反射されることで、第２の指標部２ｂを透過照明する。第２の凹部６２は、放射状の凹部であるために、円周方向に進行する光を表示面側へ反射することができるので、第２の指標部２ｂを効率よく照明することができる。一方で、連結部８を介して第１の導光体５の端部５１から放射状に抜ける光、つまり漏光は、その進行方向に沿った放射状のＶ字状の溝の反射面に対向しないため、第２の指標部２ｂ側への反射が抑えられる。
【００１９】
第１の導光体５と第２の導光体６との間には空隙部７が形成されており、この空隙部７によって第１，第２の導光体５，６への導光経路を分断することができるので、相互が照明的な干渉を受けることなく、第１，第２の光源３，４が発した光によって第１、第２の指標部２ａ、２ｂを照明することができる。
【００２０】
ケース体９は、白色樹脂からなるものであり、第１，第２の導光体５，６，回路基板１０等を保持するものである。ケース体９は、第１，第２の導光体５，６の背後に配設され、第１，第２の導光体５，６からの漏光を反射させることにより、効率よく表示板２を照明することができる。
【００２１】
回路基板１０は、アルミ等の高熱伝導率の材質からなり、第１，第２の光源３，４と電気的に接続され、第１，第２の光源３，４に電力を供給するものである。
【００２２】
ケース体９は、図４，６に示すように、第１の導光体５と第２の導光体６との間であって、第１の指標部２ａと第２の指標部２ｂ以外の透過照明されない箇所の背後に、第１の導光体５と第２の導光体６とを区切る仕切壁９１を有している。仕切壁９１により、第１，第２の導光体５，６から進入する光のうち、後述する連結部８を介さない光を遮ることができ、輝度ムラや色ムラの発生を抑制できる。
【００２３】
また、図５に示すように、第１の導光体５と第２の導光体６は、仕切壁９１が設けられていない箇所に第１の導光体５と第２の導光体６とを連結する連結部８を備え、連結部８によって連結され一体となっている。
【００２４】
連結部８は、図３に示すように、第１の導光体５と第２の導光体６との間に複数個設けられ、第１の導光体５から垂直方向に延設された第１の連結片８１と、第２の導光体６から垂直方向に延設された第２の連結片８２と、第１、第２の連結片８１、８２を連結する第３の連結片８３とによってＵ字状またはコ字状に折れ曲がり形成されている。第２の連結片８２は、第１の連結片８１よりも表示板２側に近づくように垂直方向に長く形成されているため、第２の導光体６は表示板２側により近い位置に配設されている。
【００２５】
第１の導光体５に導光された光は、その一部が第１の連結片８１に侵入するが、第３の連結片８３によって導光経路を分岐することで、輝度ムラあるいは色ムラの原因となる第２の導光体６への光の進入を低減することができる。また、連結部８を介さず第１の導光体５の端部５１から放射状に抜ける光は、第２の連結片８２が第１の連結片８１よりも表示板２側に近づくように垂直方向に長く形成されていることで端部５１、６１に生じた段差によって、第２の導光体６の端部６１への侵入を妨げられる。
【００２６】
なお、実施形態では、図４に示すように、第２の導光体６の裏面（回路基板側）が第１の導光体５の表面（表示板側）と裏面（回路基板側）との間に位置するように形成されているが、図５に示すように、第１の導光体５の表面と第２の導光体６の裏面とが平行になるようにした場合は、第１の導光体５の端部５１から放射状に抜ける光が第２の導光体６の端部６１へ侵入することをより防ぐことができる。
【００２７】
本実施形態のように、第１の光源３によって照明される第１の指標部２ａと、第１の光源３とは異なる照明色の第２の光源４によって照明される第２の指標部２ｂと、第１の指標部２ａの背後に位置し第１の光源３の光を第１の指標部２ａに導光する第１の導光体５と、第２の指標部２ｂの背後に位置し第２の光源４の光を第２の指標部２ｂに導光する第２の導光体６と、第１の指標部２ａと第２の指標部２ｂとの間であって透過照明されない箇所の背後には、第１の導光体５と第２の導光体６とを区切る仕切壁９１を設け、仕切壁９１が設けられていない箇所に第１の導光体５と第２の導光体６とを連結する連結部８とを備えた照明装置において、連結部８は、第１の導光体５から垂直方向に延設された第１の連結片８１と、第２の導光体６から垂直方向に延設された第２の連結片８２と、第１の連結片８１と第２の連結片８２とを連結する第３の連結片８３とからなることによって、第１の導光体５を導光される第１の光源３の光が第１の導光体５の端部５１から第２の導光体６の端部６１へ侵入することを防ぐことが可能となり、第１の光源３の光と第２の光源４の光が混ざることなく表示板２を照明することができる。
【００２８】
また、第１の導光体５は、その裏面にドット状に設けられたＶ字状からなる第１の凹部５２を有することによって、同心円状に成形された導光体であっても、輝度が低い箇所には凹部を多くし配置し、輝度が高い箇所は凹部を少なく配置する等の輝度調節を容易にすることができる。
【００２９】
また、第２の導光体６は、その裏面に放射状に設けられたＶ字状からなる第２の凹部６２を有することによって、放射状に進行する光をその進行方向に沿って導光することができるので、円周方向に進行する光を表示面２側へ反射することができるので、第２の指標部２ｂを効率よく照明することができる。
【００３０】
なお、本実施形態では、第１、第２の凹部５２、６２はＶ字状の溝からなる例を説明したが、拡散効果が得られるのであれば、これに限らず、多様な形状を適用することができる。
【符号の説明】
【００３１】
２  表示板
２ａ  第１の指標部（第１の表示部）
２ｂ  第２の指標部（第２の表示部）
３  第１の光源
４  第２の光源
５  第１の導光体
６  第２の導光体
７  空隙部
８  連結部
９  ケース体
１０  回路基板
５２  第１の凹部
６２  第２の凹部
８１  第１の連結片
８２  第２の連結片
８３  第３の連結片
９１  仕切壁
【図１】
2014232676.tif 000003
【図２】
2014232676.tif 000004
【図３】
2014232676.tif 000005
【図４】
2014232676.tif 000006
【図５】
2014232676.tif 000007
【図６】
2014232676.tif 000008